(57)【要約】【課題】効果的に外装ケースの小型化を図ることができ、かつ圧力センサのレイアウト性を高めることが可能なセンサ付電子機器を提供する。また、外装ケースのシール性を確実に確保することができるセンサ付電子機器を提供する。【解決手段】外装ケース２と、この外装ケース２内に設けられ、圧力を検出するセンサユニット４と、これら外装ケース２とセンサユニット４との間に設けられ、外装ケース２にセンサユニット４を取り付けるためのセンサ保持枠５とを備え、このセンサ保持枠５は、センサユニット４を収納し、かつセンサユニット４のセンサ本体２４の前面２４ａに圧力を取り込む圧力室３２が設けられているセンサ収納部２８と、外装ケース２の外側から圧力室３２へと圧力を導く圧力導入路３１とを有し、センサ収納部２８の中心軸Ｐ２と、圧力導入路３１の中心軸Ｐ１とがずれている。【選択図】図１
2011191213.tif 000002
【特許請求の範囲】
【請求項１】
外装ケースと、
この外装ケース内に設けられ、圧力を検出するセンサユニットと、
これら外装ケースとセンサユニットとの間に設けられ、前記外装ケースに前記センサユニットを取り付けるためのセンサ保持枠とを備え、
このセンサ保持枠は、
前記センサユニットを収納し、かつ前記センサユニットの検出部の前面に前記圧力を取り込む圧力室が設けられているセンサ収納部と、
前記外装ケースの外側から前記圧力室へと圧力を導く圧力導入路とを有し、
前記センサ収納部の中心軸と、前記圧力導入路の中心軸とがずれていることを特徴とするセンサ付電子機器。
【請求項２】
前記センサ収納部の中心軸に対して前記圧力導入路の中心軸が偏心していることを特徴とする請求項１に記載のセンサ付電子機器。
【請求項３】
前記センサ収納部の中心軸に対して前記圧力導入路の中心軸が交差していることを特徴とする請求項１に記載のセンサ付電子機器。
【請求項４】
前記センサ保持枠は樹脂により形成されたものであって、
前記圧力導入路の内周面に、前記圧力導入路の剛性を高めるための補強管を設けたことを特徴とする請求項１〜請求項３の何れかに記載のセンサ付電子機器。
【請求項５】
前記外装ケースにおける前記圧力導入路の開口端に対応する位置に、複数の小径孔が貫通形成されているカバーを設けたことを特徴とする請求項１〜請求項４の何れかに記載のセンサ付電子機器。
【請求項６】
前記外装ケース内に時計ムーブメントを設け、
この時計ムーブメントの裏面に、前記センサ収納部の少なくとも一部が重なるように前記センサ保持枠を配置したことを特徴とする請求項１〜請求項５の何れかに記載のセンサ付電子機器。
【発明の詳細な説明】
【技術分野】
【０００１】
この発明は、例えば大気圧や水圧を測定可能なセンサ付電子機器に関するものである。
【背景技術】
【０００２】
従来から、圧力センサ等のセンサユニットが設けられているセンサ付腕時計が知られている。この種のセンサ付腕時計としては、機器ケース（外装ケース）に開口部を形成し、この開口部に、機器ケースの外側からセンサユニットを収納しているものがある。この場合、センサユニットは、パッキンを介して押さえパネルによって開口部内に押さえ付けられるように構成されており、これにより機器ケース内のシール性を確保できるようになっている（例えば、特許文献１参照）。
【０００３】
また、時計ムーブメントの一部を構成するパネル枠上にセンサ受面を形成し、ここにセンサ（圧力センサ）を配置するように構成したものがある。これにより、外装ケース内にセンサを固定できるようになっている（例えば、特許文献２参照）。
これら特許文献１、および特許文献２は、それぞれセンサの検出部がケースの外表面に面して配置されており、これによって、センサが外装ケース外の圧力を検出できる。
【０００４】
一方、時計ケース（外装ケース）内にセンサを収納可能なキャンを設けたものがある（例えば、特許文献３参照）。
このキャンは、センサを収納する部位に圧力を導入するための圧力導入孔を有しており、一般に金属板をプレス機等を用いて絞り加工を施すことによって形成される。キャンが圧力導入孔を有しているので、センサを時計ケースの背面側に配置することが可能になる。
【先行技術文献】
【特許文献】
【０００５】
【特許文献１】特開平４−２８２４８９号公報
【特許文献２】特開平７−２７０５５１号公報
【特許文献３】実開昭６２−１８４４４７号公報
【発明の概要】
【発明が解決しようとする課題】
【０００６】
しかしながら、特許文献１、および特許文献２にあっては、センサの機能を満足させるために、検出部を外装ケースの外表面に配置する必要がある。すなわち、外装ケースの外表面にケースを配置するためのスペースを確保する必要があり、この分、外装ケースが大型化してしまうという課題がある。
また、外装ケースの大型化を抑制しようとすると、時計表示部を小さく設定する必要があり、時計表示部の良好な視認性を得ることが困難になるという課題がある。
【０００７】
これに対し、特許文献３にあっては、センサを外装ケースの背面側に配置し、外装ケースの外表面に圧力導入孔だけ配置すればよいので、特許文献１、および特許文献２と比較してケースの小型化を図ることが可能であると考えられる。しかしながら、キャンを絞り加工等により形成する必要があるので、センサを収納する部位の中心軸に対して圧力導入孔の中心軸を偏心させたり傾斜させたりすることが困難である。
【０００８】
この結果、時計表示部や時計ムーブメントとセンサとを表示部の面方向に対して並列配置する必要があり、効果的に時計ケースの小型化を図りにくいと共に、センサのレイアウトに制約を受けてしまうという課題がある。
また、絞り加工上キャンの肉厚を厚く設定しにくく、剛性を高めにくい。このため、ケースとキャンとの間のシール性を維持することが困難であると共に、剛性を高めるべくキャンを大型化すると、この結果時計ケースが大型化してしまうという課題がある。
【０００９】
そこで、この発明は、上述した事情に鑑みてなされたものであって、効果的に外装ケースの小型化を図ることができ、かつ圧力センサのレイアウト性を高めることが可能なセンサ付電子機器を提供するものである。
また、外装ケースのシール性を確実に確保することができるセンサ付電子機器を提供するものである。
【課題を解決するための手段】
【００１０】
上記の課題を解決するために、本発明に係るセンサ付電子機器は、外装ケースと、この外装ケース内に設けられ、圧力を検出するセンサユニットと、これら外装ケースとセンサユニットとの間に設けられ、前記外装ケースに前記センサユニットを取り付けるためのセンサ保持枠とを備え、このセンサ保持枠は、前記センサユニットを収納し、かつ前記センサユニットの検出部の前面に前記圧力を取り込む圧力室が設けられているセンサ収納部と、前記外装ケースの外側から前記圧力室へと圧力を導く圧力導入路とを有し、前記センサ収納部の中心軸と、前記圧力導入路の中心軸とがずれていることを特徴とする。
【００１１】
このように構成することで、センサユニットを外装ケースの背面側に配置しつつ、圧力導入路を外装ケース内のスペースに応じて配置することができる。このため、センサユニットのレイアウト性を高めることができると共に、効果的に外装ケースの小型化を図ることが可能になる。
【００１２】
本発明に係るセンサ付電子機器は、前記センサ収納部の中心軸に対して前記圧力導入路の中心軸が偏心していることを特徴とする。
【００１３】
このように構成することで、圧力導入路に対する径方向一方側へのセンサ収納部の突出量を抑制することができる。このため、外装ケースの外周部近傍に圧力導入路を配置した場合であっても、外装ケースの外表面の面積が大きくなるのを抑制できる。
【００１４】
本発明に係るセンサ付電子機器は、前記センサ収納部の中心軸に対して前記圧力導入路の中心軸が交差していることを特徴とする。
【００１５】
このように構成することで、センサユニットのレイアウトの自由度を高めることができる。このため、センサ付電子機器のバリエーションを増大させることが可能になる。
【００１６】
本発明に係るセンサ付電子機器は、前記センサ保持枠は樹脂により形成されたものであって、前記圧力導入路の内周面に、前記圧力導入路の剛性を高めるための補強管を設けたことを特徴とする。
【００１７】
このように構成することで、センサ保持枠の生産性を向上させることができ、センサ保持枠を安価に形成することができる。また、圧力導入路の剛性を高める分、センサ保持枠の小型化を図りつつ、外装ケースとセンサ保持枠との間のシール性を確実に確保することができる。
【００１８】
本発明に係るセンサ付電子機器は、前記外装ケースにおける前記圧力導入路の開口端に対応する位置に、複数の小径孔が貫通形成されているカバーを設けたことを特徴とする。
【００１９】
このように構成することで、圧力導入路内への塵埃の侵入を抑制でき、センサユニットの誤動作を防止できる。このため、信頼性の高いセンサ付電子機器を提供することが可能になる。
【００２０】
本発明に係るセンサ付電子機器は、前記外装ケース内に時計ムーブメントを設け、この時計ムーブメントの裏面に、前記センサ収納部の少なくとも一部が重なるように前記センサ保持枠を配置したことを特徴とする。
【００２１】
このように構成することで、時計ムーブメントとセンサ収納部とが重なる分、外装ケースの表面の面積を小さくすることができる。このため、より確実にセンサ付電子機器を小型化することが可能になる。
【発明の効果】
【００２２】
本発明によれば、センサユニットを外装ケースの背面側に配置しつつ、圧力導入路を外装ケース内のスペースに応じて配置することができる。このため、センサユニットのレイアウト性を高めることができると共に、効果的に外装ケースの小型化を図ることが可能になる。
また、圧力導入路の剛性を高める分、センサ保持枠の小型化を図りつつ、外装ケースとセンサ保持枠との間のシール性を確実に確保することができる。
【図面の簡単な説明】
【００２３】
【図１】本発明の第一実施形態における圧力センサ付電子時計の縦断面図である。
【図２】本発明の第一実施形態における圧力センサ付電子時計の正面図である。
【図３】本発明の第一実施形態における圧力センサ付電子時計の背面側からみた平面図である。
【図４】本発明の第二実施形態における圧力センサ付電子時計の背面側からみた平面図である。
【図５】本発明の第二実施形態における圧力センサ付電子時計の要部縦断面図である。
【図６】本発明の第二実施形態におけるセンサ保持枠の取り付け手順を示す説明図である。
【図７】本発明の第三実施形態における圧力センサ付電子時計の要部縦断面図である。
【発明を実施するための形態】
【００２４】
（第一実施形態）
（圧力センサ付電子時計）
次に、この発明の第一実施形態を図１〜図３に基づいて説明する。
図１は、圧力センサ付電子時計１の縦断面図、図２は、圧力センサ付電子時計１の正面図である。なお、以下の説明において、ユーザが圧力センサ付電子時計を装着した状態で、ユーザの腕に接する面を背面側、この背面側とは反対側であって、かつ外方に向く側の面を外表面側などと表現して説明する場合がある。
【００２５】
図１、図２に示すように、圧力センサ付電子時計１は、外装ケース２と、この外装ケース２内に設けられた時計ムーブメント３、およびセンサユニット４とを備えており、このセンサユニット４がセンサ保持枠５を介して外装ケース２内に支持されている。
外装ケース２の側面には、６時側と１２側とにそれぞれ時計バンド（不図示）を取り付けるためのバンド取り付け部２ａ，２ｂが形成されている。また、外装ケース２の側面には、複数（この実施形態では４つ）の切替えスイッチ２０が取り付けられている。この切替えスイッチ２０は、後述の液晶パネル１５に表示される内容を切替えるためのものである。
【００２６】
外装ケース２の中央の大部分には、平面視略円形状の開口部６が形成されていると共に、背面側（図１における下側、図２における紙面奥側）と外表面側（図１における上側、図２における紙面手前側）とにそれぞれ開口部６よりも段差により拡径された凹部７，８が形成されている。背面側の凹部７には、段差面７ａにリング状のパッキン９を装着するためのパッキン溝１０が形成されている。凹部７には、パッキン溝１０にパッキン９を装着した上から裏蓋１１が開口部６を閉塞するように設けられている。
【００２７】
一方、外装ケース２の外表面側に形成されている凹部８には、内周面に装着されたパッキン１２を介して開口部６を閉塞するようにフェイスガラス１３が設けられている。これら裏蓋１１とフェイスガラス１３とにより閉塞された開口部６の内部空間に、時計ムーブメント３が配置される。
【００２８】
時計ムーブメント３は、略リング状に形成されたパネル枠１４を有し、このパネル枠１４が外装ケース２の開口部６に取り付けられている。また、パネル枠１４には、外表面側に液晶パネル１５が保持されている。すなわち、液晶パネル１５は、パネル枠１４を介して外装ケース２に取り付けられた状態になっている。
【００２９】
液晶パネル１５は、一対のガラス基板１６ａ，１６ｂ間に液晶が封入されたものであって、時刻表示やセンサユニット４による検出結果等の表示を行う。また、液晶パネル１５の背面側には、この液晶パネル１５を背面側から証明するＥＬ（Ｅｌｅｃｔｒｏｌｕｍｉｎｅｓｃｅｎｃｅ）パネル１７が設けられている。
【００３０】
図３は、圧力センサ付電子時計１の背面側からみた平面図であって、裏蓋１１を取り外した状態を示す。
図１、図３に示すように、パネル枠１４のＥＬパネル１７よりも背面側には、回路基板１８が設けられている。回路基板１８は、開口部６の形状に対応するように平面視略円形状に形成されており、その表面に所定の配線パターンが形成されている。この配線パターンの所定の位置には、それぞれ電子部品が実装されている。電子部品としては、液晶パネル１５に表示する内容や時刻の発振を司るＩＣチップやコンデンサ等が挙げられる。
【００３１】
また、回路基板１８の外表面側であって、かつ液晶パネル１５の外周部に対応する位置には、回路基板１８と液晶パネル１５とを跨るように導電性ゴム５０が設けられている。この導電性ゴム５０を介して、回路基板１８と液晶パネル１５とが電気的に接続される。
回路基板１８の背面側には、各電子部品の駆動電源となるボタン型の電池１９が実装されている。この電池１９は、回路基板１８に固定されている電池枠２１に保持されている。
【００３２】
また、回路基板１８の外周縁には、外装ケース２に取り付けられている切替えスイッチ２０が電気的に接続されている。これにより、切替えスイッチ２０の操作に基づいて液晶パネル１５の表示が切り替わるようになっている。
さらに、回路基板１８の１時側には、コネクタソケット２２が実装されている。このコネクタソケット２２は、センサユニット４と回路基板１８とを電気的に接続するためのものである。
【００３３】
図１〜図３に示すように、センサユニット４は、センサ保持枠５と一体となった状態で外装ケース２内の１２時側であって、かつ背面側に配置されている。外装ケース２の１２時側には、背面側にセンサユニット４を配置可能な凹部３４が形成されており、この凹部３４が開口部６と連通した状態になっている。
センサユニット４は、所定の配線パターンが形成された基板２３と、基板２３の外表面側に実装されたセンサ本体（検出部）２４と、センサ本体２４の周囲を取り囲むように円筒状に形成された金属製のセンサ保護部材２５とを有している。
【００３４】
センサ本体２４は、例えば気圧を測定するブリッジ抵抗等の半導体圧力センサである。なお、センサ本体２４を、気圧に代わって水圧を測定する圧力センサとしてもよい。
センサ保護部材２５は、この一端が基板２３に当接するように配置されている。センサ保護部材２５の軸方向の長さは、センサ本体２４の厚みよりも長くなるように設定されている。すなわち、基板２３上にセンサ保護部材２５をセットした状態において、センサ保護部材２５の他端は、センサ本体２４の前面（検出面）２４ａから突出した状態になっている。
【００３５】
基板２３は、平面視略四角形状に形成されたものであって、配線パターンの所定の位置にフレキシブル基板２６の一端が接続されている。
このフレキシブル基板２６は、基板２３と回路基板１８とを電気的に接続するためのものであって、他端に回路基板１８のコネクタソケット２２に嵌着可能なコネクタソケット２７が設けられている。これらコネクタソケット２２，２７は、例えば、回路基板１８側のコネクタソケット２２が雌型となっている一方、フレキシブル基板２６側のコネクタソケット２７が雄型となっている。
【００３６】
このように、フレキシブル基板２６を介して回路基板１８と基板２３とが電気的に接続されることにより、センサ本体２４の検出信号が回路基板１８に出力され、センサ本体２４の検出結果が所定の表示内容で液晶パネル１５に表示される。
なお、表示内容としては、センサ本体２４による検出結果（大気圧や水圧等）をそのまま表示したり、例えば、大気圧に基づいて、回路基板１８に実装されているＩＣチップ等がユーザの立位高度を算出し、この高度を液晶パネル１５に表示したりするようになっている。
【００３７】
（センサ保持枠）
センサユニット４を保持するセンサ保持枠５は、樹脂により形成されたものであって、センサユニット４のセンサ保護部材２５を内嵌した形で収納可能な有底円筒状のセンサ収納部２８を有している。このセンサ収納部２８は、開口部２８ａを背面側に向けた状態で配置されており、背面側からセンサユニット４を挿入するようになっている。
【００３８】
センサ収納部２８にセンサユニット４を挿入した状態では、このセンサユニット４のセンサ保護部材２５の他端がセンサ収納部２８の底部２８ｂに当接するようになっている。
センサ保護部材２５の他端は、センサ本体２４の前面２４ａから突出した状態になっているので、センサ収納部２８にセンサユニット４を収納した状態では、センサ収納部２８の底部２８ｂとセンサ本体２４の前面２４ａとの間に空間Ｋ１が形成される。
【００３９】
また、センサ収納部２８の内周面には、底部２８ｂ近傍から開口部２８ａに至る間に、段差により拡径された拡径部２９が形成されている。この拡径部２９には、リング状のパッキン３０が装着されており、センサ収納部２８とセンサ保護部材２５との間のシール性が確保される。
【００４０】
さらに、センサ収納部２８の底部２８ｂには、外表面側に向かって円筒状の圧力導入路３１が立設されている。圧力導入路３１は、センサ収納部２８の底部２８ｂから外装ケース２の外表面近傍に至る間に延在している。
この圧力導入路３１は、外装ケース２の外部圧力（例えば大気や水）をセンサ収納部２８へと導くためのものであって、センサ収納部２８の空間Ｋ１に連通している。すなわち、空間Ｋ１は、センサ本体２４により圧力（大気圧や水圧等）を確実に検出させるための圧力室３２として機能している。
【００４１】
また、圧力導入路３１は、この中心軸Ｐ１がセンサ収納部２８の中心軸Ｐ２に対して偏心した状態で配置されている。より具体的には、センサ収納部２８の底部２８ｂにおける１２時側に、圧力導入路３１が立設した状態になっている。
【００４２】
ここで、外装ケース２には、開口部６よりも１２時側に圧力導入路３１を挿入可能なセンサ孔３３が外装ケース２の厚さ方向に沿って形成されている。このセンサ孔３３は、外装ケース２に形成されている凹部３４に連通している。
凹部３４は、センサ収納部２８を収納可能な大きさに形成されている。すなわち、センサ保持枠５は、外装ケース２の背面側から圧力導入路３１をセンサ孔３３に挿入するようにして取り付けられる。
【００４３】
圧力導入路３１の中心軸Ｐ１は、センサ収納部２８の中心軸Ｐ２に対して１２時側に偏心しているので、センサ収納部２８は、圧力導入路３１よりも６時側にずれた状態になっている。このような状態のセンサ収納部２８の一部、つまり、センサ収納部２８の径方向略中央よりも６時側の部分は、外装ケース２にセンサ保持枠５を取り付けた状態において、回路基板１８の背面側に位置した状態になる。すなわち、回路基板１８の一部とセンサ収納部２８の一部は、外装ケース２の厚さ方向で互いに重なり合っている。
【００４４】
また、外装ケース２にセンサ保持枠５を取り付けた状態において、センサユニット４と裏蓋１１との間に間隙Ｋ２が形成されるようになっている。裏蓋１１には、センサユニット４に対応する位置に平板状のクッション材４１が設けられている。
このクッション材４１は、外装ケース２に各部品を組み付けた際、センサユニット４と裏蓋１１との間に形成される間隙Ｋ２の寸法誤差を吸収する役割を有していると共に、裏蓋１１を介してセンサユニット４に伝達される外部衝撃を緩和する役割を有している。
【００４５】
なお、各部品の加工精度、および組み立て精度を高め、センサユニット４と裏蓋１１との間に間隙Ｋ２を形成しないようにしてもよい。この場合、裏蓋１１のセンサユニット４に対応する位置に、クッション材４１を設けなくてもよい。
【００４６】
また、圧力導入路３１の先端（図１における上端）、つまり開口端には、平面取り部３５が形成されており、センサ孔３３に圧力導入路３１をスムーズに挿入できるようになっている。さらに、圧力導入路３１の先端側には、外周面にパッキン溝３６が形成されている。このパッキン溝３６には、リング状のパッキン３７が装着されており、外装ケース２のセンサ孔３３と圧力導入路３１との間のシール性が確保されている。
【００４７】
また、圧力導入路３１には、内周面に段差により拡径された拡径部３１ａが長手方向全体に亘って形成されている。この拡径部３１ａには、金属筒４２が内嵌固定されている。この金属筒４２は、圧力導入路３１の剛性を高める役割を有している。このため、圧力導入路３１の外周面にパッキン３７を装着し、このパッキン３７からの圧力を圧力導入路３１が受けた状態であっても圧力導入路３１の損傷を確実に防止することができる。
【００４８】
ここで、外装ケース２には、センサ孔３３に対応する箇所に、このセンサ孔３３と外装ケース２の外側とを連通する開口凹部３８が形成されている。つまり、この開口凹部３８は、外装ケース２に取り付けられているフェイスガラス１３よりも１２時側に形成されている。開口凹部３８は、９時と３時とを結ぶ直線Ｐ３（図２参照）に沿って長くなるように平面視略四角形に形成されている。
【００４９】
開口凹部３８には、これを閉塞するカバー３９が設けられている。つまり、カバー３９は、圧力導入路３１の先端（開口端）側に設けられた状態になっている。
カバー３９は、圧力導入路３１内への塵埃の侵入を防止するためのものであって、複数の小径孔４０がカバー３９の厚さ方向に貫通形成されている。これにより、小径孔４０を介して圧力導入路３１内に大気や水等が導入される一方、圧力導入路３１内への塵埃の侵入を阻害できる。
【００５０】
また、カバー３９は、この外表面３９ａ側が外装ケース２の外表面と面一になるように、外装ケース２の外表面に対応するように形成されている。具体的には、この第一実施形態においては、カバー３９の外表面３９ａに平面取り部４３が形成されている。このように形成することにより、外装ケース２の美観性が向上する。
【００５１】
このような構成のもと、圧力導入路３１を介して大気や水が圧力室３２に導入され、センサ本体２４によって大気圧や水圧が検出される。この検出結果は、信号としてフレキシブル基板２６を介して回路基板１８に出力される。そして、回路基板１８に実装されているＩＣチップ等に入力され、このＩＣチップ等の算出結果に基づいて液晶パネル１５に算出内容が表示される。
【００５２】
したがって、上述の第一実施形態によれば、外装ケース２自体に直接センサユニット４を固定するのではなく、センサ保持枠５を介して外装ケース２にセンサユニット４を固定するように構成しているので、センサユニット４のレイアウト性が高まる。
【００５３】
しかも、センサ保持枠５を圧力室３２を有するセンサ収納部２８と、圧力室３２に大気や水を導入可能な圧力導入路３１とにより構成し、センサ収納部２８の中心軸Ｐ２に対して圧力導入路３１の中心軸Ｐ１を偏心させている。これにより、センサ収納部２８を圧力導入路３１よりも６時側にずらして回路基板１８の背面側に配置できる。
すなわち、外装ケース２の外表面にセンサユニット４自体を露出させる必要がなく、圧力導入路３１のみ外装ケース２の外表面に露出させ、センサユニット４を圧力導入路３１よりも径方向内側に配置させることができる。このため、外装ケース２の外表面の面積を小さくすることができ、この結果、外装ケース２の小型化を図ることができる。
【００５４】
ここで、センサ保持枠５を樹脂により成型するにあたって、金型（不図示）を用いて成形する場合が多いが、圧力導入路３１の中心軸Ｐ１はセンサ収納部２８の中心軸Ｐ２に対して偏心しているだけなので、中心軸Ｐ２に対して中心軸Ｐ１が傾斜している場合と比較して、容易にセンサ保持枠５を成型することができる。すなわち、センサ保持枠５を成型するための金型のコストを低減することができる。このように、センサ保持枠５の製造コストを低減しつつ、外装ケース２の小型化を図ることが可能になる。
【００５５】
また、樹脂により成型されたセンサ保持枠５の圧力導入路３１に金属筒４２を内嵌固定しているので、圧力導入路３１の剛性を高めることができる。このため、圧力導入路３１の肉厚を薄肉に設定しつつ、パッキン３７からの圧力による圧力導入路３１の損傷を確実に防止することができる。また、圧力導入路３１の剛性が高まる分、この圧力導入路３１と外装ケース２のセンサ孔３３との間のシール性を確実に維持することが可能になる。
【００５６】
さらに、外装ケース２の圧力導入路３１に対応する位置に形成された開口凹部３８に複数の小径孔４０が形成されたカバー３９を装着しているので、圧力導入路３１内への塵埃の侵入を抑制できる。このため、塵埃の侵入によるセンサ本体２４の誤動作を防止することができ、信頼性の高い圧力センサ付電子時計１を提供することが可能になる。
【００５７】
なお、上述の第一実施形態では、センサ保持枠５の圧力導入路３１に金属筒４２を内嵌固定した場合について説明した。しかしながら、これに限られるものではなく、例えば圧力導入路３１の肉厚を厚く設定することができるスペースを確保することが可能であって、圧力導入路３１の剛性を高めることが可能であれば金属筒４２を設けなくてもよい。
【００５８】
（第二実施形態）
次に、この発明の第二実施形態を図４〜図６に基づいて説明する。なお、第一実施形態と同一態様には、同一符号を付して説明を省略する（以下の実施形態についても同様）。
図４は、第二実施形態における圧力センサ付電子時計１０１の背面側からみた平面図であって、裏蓋１１を取り外した状態を示す。図５は、圧力センサ付電子時計１０１の要部縦断面図である。
【００５９】
この第二実施形態において、圧力センサ付電子時計１０１は、外装ケース１０２と、この外装ケース１０２内に設けられた時計ムーブメント３、およびセンサユニット４とを備えている点、外装ケース１０２の中央の大部分に開口部６が形成され、この開口部６をフェイスガラス１３と裏蓋１１とにより閉塞している点、時計ムーブメント３は、液晶パネル１５、回路基板１１８、電池１９等により構成されている点、センサユニット４は、所定の配線パターンが形成された基板２３と、基板２３の外表面側に実装されたセンサ本体２４と、センサ本体２４の周囲を取り囲むように円筒状に形成された金属製のセンサ保護部材２５とを有し、センサ保持枠１０５を介して外装ケース１０２内に設けられている点、センサ保持枠１０５のセンサユニット４を収納するセンサ収納部２８は、この一部が回路基板１８の一部と外装ケース２の厚さ方向で互いに重なり合うように配置されている点、センサ本体２４は、例えば気圧を測定するブリッジ抵抗等の半導体圧力センサである点等の基本的構成は、前述した第一実施形態と同様である（以下の実施形態についても同様）。
【００６０】
ここで、この第二実施形態と第一実施形態との相違点は、第一実施形態における外装ケース２には、１２時側にセンサユニット４が配置されているのに対し、第二実施形態における外装ケース１０２には、９時側にセンサユニット４が配置されている点、第一実施形態におけるセンサ保持枠５の形状と、第二実施形態におけるセンサ保持枠１０３の形状とが異なる点にある。
【００６１】
すなわち、図４に示すように、第二実施形態の回路基板１１８には、１０時側にコネクセンサユニット４と回路基板１１８とを電気的に接続するためのコネクタソケット２２が実装されている。外装ケース１０２の内側には、９時側（図５における左側）に凹部３４が形成されており、ここにセンサ保持枠１０５のセンサ収納部２８が収納されている。
【００６２】
（センサ保持枠）
センサユニット４を保持するためのセンサ保持枠１０５は、樹脂により形成されたものであって、センサユニット４を収納可能な有底円筒状のセンサ収納部２８と、センサ収納部２８の圧力室３２に大気や水を導入するための円筒状の圧力導入路３１とが一体成形されている。
【００６３】
ここで、センサ保持枠１０５の圧力導入路３１は、センサ収納部２８の底部２８ｂから外装ケース１０２の側面であって、かつ９時側に向かって立設されている。すなわち、圧力導入路３１の中心軸Ｐ１は、センサ収納部２８の中心軸Ｐ２に対して略直交した状態で配置されている。
外装ケース１０２の側面には、圧力導入路３１に対応する９時側に、この圧力導入路３１を挿入可能なセンサ孔３３が貫通形成されている。このセンサ孔３３は、センサ保持枠１０５のセンサ収納部２８が収納される凹部３４に連通している。
【００６４】
圧力導入路３１は、センサ収納部２８の径方向外側に突出した状態になっているので、センサ収納部２８は、圧力導入路３１の基端側よりも３時側にずれた状態になっている。
このような構成のもと、センサ収納部２８の一部、つまり、センサ収納部２８の径方向略中央よりも３時側は、外装ケース２に取り付けた状態において、回路基板１８の背面側に位置した状態になる。
【００６５】
また、外装ケース１０２にセンサ保持枠１０５を取り付けた状態において、センサユニット４と裏蓋１１との間には、間隙Ｋ２が形成されるようになっている。裏蓋１１には、センサユニット４に対応する位置に平板状のクッション材４１が設けられている。
さらに、外装ケース１０２にセンサ保持枠１０５を取り付けた状態において、センサ収納部２８の外周面２８ｃと、時計ムーブメント３の電池枠２１との間には、間隙Ｋ３が形成されるようになっている。
【００６６】
この間隙Ｋ３は、少なくとも外装ケース１０２のセンサ孔３３への圧力導入路３１の挿入代よりも大きく設定されている。間隙Ｋ３は、外装ケース１０２にセンサ保持枠１０５を取り付ける際に利用されるスペースである（詳細は後述する）。
外装ケース１０２にセンサ保持枠１０５を取り付けた状態では、間隙Ｋ３には、保持枠押さえ１４４が取り付けられる。この保持枠押さえ１４４は、センサ保持枠１０５の抜けを規制するためのものであって、例えばクッション材等によって形成されている。
【００６７】
ここで、センサ収納部２８を収納する外装ケース１０２の凹部３４には、圧力導入路３１の基端側に対応する位置に、小凹部１４５が形成されている。この小凹部１４５を形成することにより、圧力導入路３１の基端側（図５における右側）に間隙Ｋ４が形成される。
この間隙Ｋ４も外装ケース１０２にセンサ保持枠１０５を取り付ける際に利用されるスペースであって、少なくとも外装ケース１０２のセンサ孔３３への圧力導入路３１の挿入代よりも大きく設定されている。
【００６８】
また、外装ケース１０２には、センサ孔３３に対応する箇所に、このセンサ孔３３と外装ケース２の外側とを連通する開口凹部１３８が形成されている。つまり、この開口凹部１３８は、外装ケース２の側面であって、かつ９時側に形成されている。
開口凹部３８には、これを閉塞するカバー１３９が設けられており、圧力導入路３１内に大気や水を導入しつつ、圧力導入路３１内への塵埃の侵入が防止されるようになっている。
【００６９】
（センサ保持枠の取り付け手順）
次に、図５、図６に基づいて、第二実施形態におけるセンサ保持枠１０５の取り付け手順について説明する。
図６は、センサ保持枠１０５の取り付け手順を示す説明図である。
同図に示すように、まず、予めセンサ保持枠１０５にセンサユニット４を取り付けておく。そして、裏蓋１１を取り外すと共に、保持枠押さえ１４４を取り外し、外装ケース２の凹部３４に、センサ保持枠１０５を圧力導入路３１を外表面側（図６における上側）に向けて載置する。
【００７０】
このとき、外装ケース１０２の凹部３４には、外装ケース１０２にセンサ保持枠１０５を取り付けた状態において、センサ収納部２８の外周面２８ｃと、時計ムーブメント３の電池枠２１との間に間隙Ｋ３が形成されるようになっている。また、圧力導入路３１の基端側に間隙Ｋ４が形成されるようになっている。
【００７１】
このため、これら間隙Ｋ３，Ｋ４に、センサ保持枠１０５を位置させることにより、圧力導入路３１の中心軸Ｐ１と、外装ケース１０２に形成されているセンサ孔３３の中心軸Ｐ４とを同一直線上に位置させることができる。
このような状態で、センサ孔３３に圧力導入路３１を挿入するべく、センサ保持枠１０５を外装ケース１０２の側面側に向かってスライド移動させる（図６における矢印Ｙ１参照）。
【００７２】
すると、図５に示すように、センサ孔３３に圧力導入路３１が挿入され、センサ保持枠１０５が所定の位置まで移動する。センサ保持枠１０５が所定の位置まで移動すると、センサ収納部２８の外周面２８ｃと、時計ムーブメント３の電池枠２１との間に間隙Ｋ３が形成される。この間隙Ｋ３に保持枠押さえ１４４を取り付けることにより、センサ保持枠１０５の取り付けが完了する。そして、回路基板１８とセンサユニット４とをフレキシブル基板２６を用いて接続した後、外装ケース１０２に裏蓋１１を取り付ける。
【００７３】
したがって、上述の第二実施形態によれば、前述の第一実施形態と同様の効果に加え、圧力センサ付電子時計１０１の仕様に応じて前述の第一実施形態のセンサ保持枠５を使用するように設計するか第二実施形態のセンサ保持枠１０５を使用するように設計するか選択することができ、センサユニット４のレイアウトの自由度を高めることができる。このため、圧力センサ付電子時計１０１のバリエーションを増大することが可能になる。
【００７４】
なお、上述の第二実施形態では、外装ケース１０２の９時側にセンサユニット４が配置されている場合について説明した。しかしながら、これに限られるものではなく、外装ケース１０２の側面に圧力導入路３１の先端を向けるような構成とする場合の何れにもこの第二実施形態のセンサ保持枠１０５を適用することが可能である。例えば、外装ケース１０２の３時側にセンサユニット４を配置した場合であっても、外装ケース１０２を適用することが可能である。
【００７５】
また、上述の第二実施形態では、圧力導入路３１の中心軸Ｐ１は、センサ収納部２８の中心軸Ｐ２に対して略直交した状態で配置されている場合について説明した。しかしながら、これに限られるものではなく、センサユニット４の位置、外装ケース１０２の形状等に応じて圧力導入路３１の中心軸Ｐ１がセンサ収納部２８の中心軸Ｐ２に対して傾斜した状態であってもよい。
【００７６】
（第三実施形態）
次に、この発明の第三実施形態を図７に基づいて説明する。
図７は、第三実施形態における圧力センサ付電子時計２０１の要部縦断面図である。
この第三実施形態における圧力センサ付電子時計２０１のセンサ保持枠２０５と前述の第一実施形態における圧力センサ付電子時計１のセンサ保持枠５との相違点は、第一実施形態におけるセンサ保持枠５の圧力導入路３１が一直線状に形成されているのに対し、第三実施形態におけるセンサ保持枠２０５の圧力導入路２３１が屈曲形成されている点にある。
【００７７】
すなわち、図７に示すように、センサ保持枠２０５は樹脂により形成されたものであって、センサ収納部２８と、このセンサ収納部２８の底部２８ｂに立設された圧力導入路２３１とが一体成形されている。圧力導入路２３１は、センサ収納部２８の１２時側に配置されている。
【００７８】
ここで、圧力導入路２３１は、センサ収納部２８の底部２８ｂからこの底部２８ｂに対して垂直方向に沿って立ち上がり形成された第一筒部２４５と、この第一筒部２４５の先端から斜め１２時側に向かって傾斜するように屈曲形成された第二筒部２４６とにより構成されている。これにより、圧力導入路２３１の先端は、前述の第一実施形態の圧力導入路３１の先端よりも１２時側に向いた状態になっている。
【００７９】
圧力センサ付電子時計２０１の外装ケース２０２には、圧力導入路２３１に対応するセンサ孔２３３が形成されている。すなわち、センサ孔２３３は、外装ケース２０２の厚さ方向に沿って形成され、圧力導入路２３１の第一筒部２４５が挿入される第一孔２５１と、この第一孔２５１の先端から斜め１２時側に向かって形成するように屈曲形成され、圧力導入路２３１の第二筒部２４６が挿入される第二孔２５２とが連通形成された状態になっている。
【００８０】
また、外装ケース２０２には、センサ孔２３３の第二孔２５２に対応する箇所に、この第二孔２５２と外装ケース２の外側とを連通する開口凹部２３８が形成されている。つまり、この開口凹部２３８は、外装ケース２０２に取り付けられているフェイスガラス１３と同一面上に形成されておらず、このフェイスガラス１３に対して傾斜している外装ケース２０２の側面近傍に形成されている。
【００８１】
開口凹部２３８には、これを閉塞するカバー２３９が設けられている。カバー２３９は、この外表面２３９ａ側が外装ケース２０２と面一になるように形成されている。
また、カバー２３９には、複数の小径孔４０がカバー２３９の厚さ方向に貫通形成されており、圧力導入路２３１内に大気や水を導入しつつ、圧力導入路３１内への塵埃の侵入が防止されるようになっている。
【００８２】
したがって、上述の第三実施形態によれば、前述の第一実施形態と同様の効果に加え、圧力センサ付電子時計２０１のバリエーションを増大することが可能になる。
【００８３】
なお、本発明は上述の実施形態に限られるものではなく、本発明の趣旨を逸脱しない範囲において、上述の実施形態に種々の変更を加えたものを含む。
例えば、上述の実施形態では、圧力センサ付電子時計１，１０１，２０１にそれぞれセンサ保持枠５，１０５，２０５を用いた場合について説明した。しかしながら、これに限られるものではなく、センサユニット４が内蔵されるさまざまな電子機器、例えば携帯電話機器、電子計算機、ラジオ装置等に、センサ保持枠５，１０５，２０５を適用することが可能である。
【００８４】
また、上述の実施形態では、センサ保持枠５，１０５，２０５のセンサユニット４を収納するセンサ収納部２８の一部が、回路基板１８の一部と外装ケース２，１０２，２０２の厚さ方向で互いに重なり合うように配置されている場合について説明した。しかしながら、これに限られるものではなく、センサ収納部２８全体を回路基板１８の背面側に配置するように構成してもよい。
【符号の説明】
【００８５】
１，１０１，２０１  圧力センサ付電子時計
２，１０２，２０２  外装ケース
３  時計ムーブメント
４  センサユニット
５，１０５，２０５  センサ保持枠
２４  センサ本体（検出部）
２４ａ  前面
２８  センサ収納部
３１，１３１，２３１  圧力導入路
３２  圧力室
３９，１３９，２３９  カバー
４０  小径孔
４２  金属筒（補強管）
Ｐ１，Ｐ２  中心軸
【図１】
2011191213.tif 000003
【図２】
2011191213.tif 000004
【図３】
2011191213.tif 000005
【図４】
2011191213.tif 000006
【図５】
2011191213.tif 000007
【図６】
2011191213.tif 000008
【図７】
2011191213.tif 000009